(57)【要約】【課題】シリンダ内に湯温調整装置を備えた湯温調整ユニット、前記シリンダとは別のシリンダ内に開閉弁を備えた水栓ユニットをそれぞれ独立して取り外して容易に保守、点検ができる。装置全体をコンパクト化が図れる。【解決手段】第１シリンダ１内に湯温調整装置２を備えた湯温調整ユニット３と、前記第１シリンダとは別の第２シリンダ４内に開閉弁５を備えた上記湯温調整ユニット３とは別体の水栓ユニット６を、各シリンダ１、４の軸芯がほぼ一致するように一列に並設した状態で取付け金具７の前側に取付ける。いずれか一方のユニット又は両ユニットをシリンダ１、４の軸芯方向と交差する取付け金具７の前方向に向けて他のユニットから独立して取外し自在とする。【選択図】図１
2010007290.tif 000002
【特許請求の範囲】
【請求項１】
第１シリンダ内に湯温調整装置を備えた湯温調整ユニットと、前記第１シリンダとは別の第２シリンダ内に開閉弁を備えた上記湯温調整ユニットとは別体の水栓ユニットを、各シリンダの軸芯がほぼ一致するように一列に並設した状態で取付け金具の前側に取付け、上記いずれか一方のユニット又は両ユニットをシリンダの軸芯方向と交差する取付け金具の前方向に向けて他のユニットから独立して取外し自在として成ることを特徴とする湯温調整機能付き水栓装置。
【請求項２】
前記水栓ユニットの第２シリンダ内の軸方向に２つの独立した開閉弁を設け、各開閉弁を操作する操作部を第２シリンダの軸方向の両端部に配設し、湯温調整ユニットの第１シリンダの軸方向の一方の端部に湯温調整装置を操作する操作部を設け、湯温調整ユニットの第１シリンダの軸方向の操作部を設けていない方の他方の端部と、水栓ユニットの第２シリンダの軸方向の一方の端部側に配設した開閉弁の一方の操作部とが隣接するように一列に並設して成ることを特徴とする請求項１記載の湯温調整機能付き水栓装置。
【請求項３】
前記取付け金具に水供給用接続部と湯供給用接続部と湯温調整ユニット取付け部と水栓ユニット取付け部とを設け、湯温調整ユニットに被取付け部を設けると共に湯温調整ユニットの湯温調整装置よりも上流側に水流入用接続部と湯流入用接続部とを設け且つ湯温調整装置よりも下流側に混合された湯水の出口部を設け、水栓ユニットに被取付け部を設けると共に開閉弁よりも上流側に湯水の入口部を設け且つ開閉弁よりも下流側に湯水の吐出部を設け、取付け金具の水供給用接続部と湯供給用接続部とにそれぞれ湯温調整ユニットの水流入用接続部と湯流入用接続部とを着脱自在に接続すると共に湯温調整ユニット取付け部に湯温調整ユニットの被取付け部を着脱自在に取付け、取付け金具の水栓ユニット取付け部に水栓ユニットの被取付け部を着脱自在に取付けると共に、湯温調整ユニットの出口部と水栓ユニットの入口部とを接続管で着脱自在に接続して成ることを特徴とする請求項１又は請求項２記載の湯温調整機能付き水栓装置。
【請求項４】
前記湯温調整ユニットと、それぞれ別体の複数の水栓ユニットとを各シリンダの軸芯がほぼ一致するように並設した状態で取付け金具に取付け、一部のユニット又は全てのユニットをそれぞれ独立して取付け金具に対して取外し自在として成ることを特徴とする請求項１記載の湯温調整機能付き水栓装置。
【請求項５】
前記取付け金具に水供給用接続部と湯供給用接続部と湯温調整ユニット取付け部と複数の水栓ユニット取付け部とを設け、湯温調整ユニットに被取付け部を設けると共に湯温調整ユニットの湯温調整装置よりも上流側に水流入用接続部と湯流入用接続部とを設け且つ湯温調整装置よりも下流側に混合された湯水の出口部を設け、複数の水栓ユニットにそれぞれ被取付け部を設けると共に各水栓ユニットの開閉弁よりも上流側に湯水の入口部を設け且つ開閉弁よりも下流側に湯水の吐出部を設け、取付け金具の水供給用接続部と湯供給用接続部とにそれぞれ湯温調整ユニットの水流入用接続部と湯流入用接続部とを着脱自在に接続すると共に湯温調整ユニット取付け部に湯温調整ユニットの被取付け部を着脱自在に取付け、取付け金具の複数の水栓ユニット取付け部にそれぞれ各水栓ユニットの被取付け部を着脱自在に取付けると共に、湯温調整ユニットの出口部と各水栓ユニットの入口部とを接続管で着脱自在に接続して成ることを特徴とする請求項４記載の湯温調整機能付き水栓装置。
【発明の詳細な説明】
【技術分野】
【０００１】
本発明は、湯温調整機能付き水栓装置に関するものである。
【背景技術】
【０００２】
従来から、湯温調整機能付き水栓装置として例えば、特許文献１や特許文献２が知られている。
【０００３】
特許文献１に示された従来例は、軸方向の両端部が開口した１つのシリンダの一方の開口側から温調モジュールを内装すると共に、該シリンダの他方の開口側から制御弁モジュールを内装したものが示してある。この従来例にあっては、温調モジュール、制御弁モジュールのいずれか一方、又は両方を保守、点検する場合、シリンダの軸方向の一方の開口又は他方の開口から温調モジュール又は制御弁モジュールを軸方向の外方向に引き抜いて取り外し、保守、点検を行う。
【０００４】
この場合、取り外した温調モジュールや制御弁モジュールは、壁際、あるいはカウンターの上面や前面という作業がし難いシリンダの取付け場所から離れた所で保守、点検ができるので、温調モジュール自体の保守、点検や制御弁モジュール自体の保守、点検作業は容易にできるが、温調モジュールや制御弁モジュールを開口から嵌め込んでシリンダに設けた給水口、給湯口、吐水口との位置合わせ、シール等の組み込み作業をするには依然としてシリンダを取付けている壁際やカウンターの上面や前面という作業のし難い場所で行わなければならないため、作業性が悪いという問題がある。
【０００５】
また、上記特許文献１に示された従来例の湯温調整機能付き水栓装置は、設置場所により、シリンダの軸方向の一端部又は両端部と対向する壁あるいは他の設備等との間の隙間巾をあまり長く確保できない場合があり、このように該隙間巾がシリンダの軸方向の一端部又は他端部の開口から温調モジュールや制御弁モジュールを引き抜いて取り出すだけの寸法を確保できない場合は、温調モジュール、制御弁モジュールをシリンダから取り外すことができない。
【０００６】
したがって、このような場合は、温調モジュール、制御弁モジュールの双方を内装したシリンダを取り外して保守、点検をしなければならない。しかしながら、温調モジュール、制御弁モジュールのいずれか一方の保守、点検をする場合でも、温調モジュール、制御弁モジュールの双方を内装したシリンダを取り外して保守、点検をしなければならず、この場合、一方のモジュールの保守、点検をする際に、他方のモジュールが邪魔になって、作業がし難いという問題がある。更に、例えば、制御弁モジュールの保守、点検をするのに、温調モジュールに関連したシリンダの給水、給湯の配管接続部を外してシリンダを取り外し、保守、点検後に再び、温調モジュールに関連したシリンダの給水、給湯の配管接続部を接続する作業が必要となり、制御弁モジュールの保守、点検をするのに、制御弁モジュールとは別の温調モジュールに関連した配管接続部の接続を外したり、接続し直したりという作業が必要となり、作業が煩雑となるという問題がある。
【０００７】
また、この特許文献１には１つのシリンダの軸方向の一端部から温調モジュールを内装し、軸方向の他端部から制御弁モジュールを内装し、シリンダの軸方向の両端にそれぞれ温調モジュールのハンドルと、制御弁モジュールのハンドルとを突出するものであるから、制御弁モジュールとしては、１つしか内装できず、温調モジュールと、複数の制御弁モジュールとを備えた湯温調整機能付き水栓装置を構成できないという問題がある。
【０００８】
また、特許文献２には、混合水栓本体の一側端に開口する孔の一側部に温調モジュールを内装し、混合水栓本体の前面側に設けた上記孔に連通する開口から制御弁モジュールを嵌め込んだ湯温調整機能付き水栓装置が示してある。この従来例にあっては、制御弁モジュールは前方に取り外すことができるが、制御弁モジュールを開口から嵌め込んで混合水栓本体との位置合わせ、シール等の組み込み作業をするには依然として混合水栓本体を取付けている壁際やカウンタの上面や前面という作業のし難い場所で行わなければならないため、作業性が悪いという問題がある。
【０００９】
また、この従来例において、温調モジュールは混合水栓本体の軸方向の外方にしか取り外すことができないので、この従来例においても、混合水栓本体の一側部に突出している温調モジュールの湯温調整ハンドルと壁あるいは他の設備等との間の隙間巾を十分に確保していなければ、前述の従来例と同様、温調モジュールを取り外すことができない。
【００１０】
更に、温調モジュール又は制御弁モジュールの保守、点検をするために、温調モジュール、制御弁モジュールを内装した混合水栓本体を取り外して保守、点検する場合は、前述の特許文献１と同様の問題点が生じる。
【００１１】
しかも、特許文献２においては、制御弁モジュールは２つ設けてあるが、２つの制御弁モジュールの軸方向はそれぞれ、温調モジュールの軸方向と交差する方向となっているので、湯温調整機能付き水栓装置が大型化してしまうという問題がある。
【特許文献１】特開平６−３３１０４６号公報
【特許文献２】特開２００５−１１３６４４号公報
【発明の開示】
【発明が解決しようとする課題】
【００１２】
本発明は上記の従来の問題点に鑑みて発明したものであって、第１シリンダ内に湯温調整装置を備えた湯温調整ユニット、前記第１シリンダとは別の第２シリンダ内に開閉弁を備えた水栓ユニットをそれぞれ独立して取り外して容易に保守、点検ができ、また、装置全体をコンパクト化が図れる湯温調整機能付き水栓装置を提供することを課題とするものである。
【課題を解決するための手段】
【００１３】
上記課題を解決するために本発明に係る湯温調整機能付き水栓装置は、第１シリンダ１内に湯温調整装置２を備えた湯温調整ユニット３と、前記第１シリンダ１とは別の第２シリンダ４内に開閉弁５を備えた上記湯温調整ユニット３とは別体の水栓ユニット６を、各シリンダ１、４の軸芯がほぼ一致するように一列に並設した状態で取付け金具７の前側に取付け、上記いずれか一方のユニット又は両ユニットをシリンダ１、４の軸芯方向と交差する取付け金具７の前方向に向けて他のユニットから独立して取外し自在として成ることを特徴とするものである。
【００１４】
このような構成とすることで、第１シリンダ１内に湯温調整装置２を備えた湯温調整ユニット３、前記第１シリンダ１とは別の第２シリンダ４内に開閉弁５を備えた水栓ユニット６を、取付け金具７からそれぞれ独立して前方に取り外すことができる。したがって、保守、点検が必要なユニットのみを前方に個別に取り外して保守、点検ができる。また、各シリンダ１、４の軸芯がほぼ一致するように一列に並設した状態で取付け金具７の前側に取付けるので、湯温調整機能付き水栓装置Ａ全体をコンパクト化できる。
【００１５】
また、水栓ユニット６の第２シリンダ４内の軸方向に２つの独立した開閉弁５を設け、各開閉弁５を操作する操作部９、９ａを第２シリンダ４の軸方向の両端部に配設し、湯温調整ユニット３の第１シリンダ１の軸方向の一方の端部に湯温調整装置２を操作する操作部８を設け、湯温調整ユニット３の第１シリンダ１の軸方向の操作部８を設けていない方の他方の端部と、水栓ユニット６の第２シリンダ４の軸方向の一方の端部側に配設した操作部８とが隣接するように一列に並設する。
【００１６】
このような構成とすることで、湯温調整ユニット３の第１シリンダ１と水栓ユニット６の第１シリンダ４の軸芯がほぼ一致するように一列に並設してコンパクトにしたものにおいて、操作部８を備えた１つの湯温調整装置２、２つの独立した操作部９、９ａを有する２つの開閉弁５を備えたコンパクトな湯温調整機能付き水栓装置Ａを提供できる。しかも、湯温調整機能付き水栓装置Ａの軸方向の一方の端部に湯温調整ユニット３の操作部９が位置し、軸方向の略中間部分に一方の開閉弁５の操作部９ａが位置し、軸方向の他端部に他方の開閉弁５の操作部９ａが位置することになり、操作部８、９、９ａが軸方向に両端、中間部にバランスよく配置されて操作性が良くなる。
【００１７】
また、取付け金具７に水供給用接続部１０と湯供給用接続部１１と湯温調整ユニット取付け部１２と水栓ユニット取付け部１３とを設け、湯温調整ユニット３に被取付け部１４を設けると共に湯温調整ユニット３の湯温調整装置２よりも上流側に水流入用接続部１６と湯流入用接続部１７とを設け且つ湯温調整装置２よりも下流側に混合された湯水の出口部１８を設け、水栓ユニット６に被取付け部１５を設けると共に開閉弁５よりも上流側に湯水の入口部１９を設け且つ開閉弁５よりも下流側に湯水の吐出部２０を設け、取付け金具７の水供給用接続部１０と湯供給用接続部１１とにそれぞれ湯温調整ユニット３の水流入用接続部１６と湯流入用接続部１７とを着脱自在に接続すると共に、湯温調整ユニット取付け部１２に湯温調整ユニット３の被取付け部１４を着脱自在に取付け、取付け金具７の水栓ユニット取付け部１３に水栓ユニット６の被取付け部１５を着脱自在に取付けると共に湯温調整ユニット３の出口部１８と水栓ユニット６の入口部１９とを接続管２１で着脱自在に接続することが好ましい。
【００１８】
このような構成とすることで、湯温調整ユニット３を取り外すには、水供給用接続部１０と水流入用接続部１６との接続、湯供給用接続部１１と湯流入用接続部１７との接続を取り外し、出口部１８と接続管２１との接続を取り外し、湯温調整ユニット取付け部１２と被取付け部１４との接続を取り外すだけで、水栓ユニット６を取付け金具７に取付けたままの状態で、湯温調整ユニット３のみを簡単に前方に取り外して、離れた場所で湯温調整ユニット３の保守、点検ができる。また、保守、点検が終わると、上記と逆の手順で簡単に湯温調整ユニット３を取付け金具７に取付けることができる。また、水栓ユニット６を取り外すには、水栓ユニット取付け部１３と被取付け部１５との接続を取り外し、入口部１９と接続管２１の接続を外すだけで、湯温調整ユニット３を取付け金具７に取付けたままの状態で、水栓ユニット６のみを簡単に前方に取り外して、離れた場所で水栓ユニット６の保守、点検ができる。また、保守、点検が終わると、上記と逆の手順で簡単に水栓ユニット６を取付け金具７に取付けることができる。
【００１９】
また、湯温調整ユニット３と、それぞれ別体の複数の水栓ユニット６、６ａとを各シリンダ１、４、４……の軸芯がほぼ一致するように並設した状態で取付け金具７に取付け、一部のユニット又は全てのユニットをそれぞれ独立して取付け金具７に対して取外し自在とすることが好ましい。
【００２０】
このような構成とすることで、１つの湯温調整ユニット３と、複数の水栓ユニット６、６ａとを軸芯がほぼ一致するように一列に並設してコンパクトな湯温調整機能付き水栓装置Ａを提供できる。また、複数の水栓ユニット６、６ａをそれぞれ独立して取り外すことができるので、保守、点検が必要な水栓ユニットのみを取り外して離れたところで、保守、点検ができて、他の水栓ユニットや湯温調整ユニット３に邪魔されることなく、容易に保守、点検作業が行える。
【００２１】
また、取付け金具７に水供給用接続部１０と湯供給用接続部１１と湯温調整ユニット取付け部１２と複数の水栓ユニット取付け部１３とを設け、湯温調整ユニット３に被取付け部１４を設けると共に湯温調整ユニット３の湯温調整装置２よりも上流側に水流入用接続部１６と湯流入用接続部１７とを設け且つ湯温調整装置２よりも下流側に混合された湯水の出口部１８を設け、複数の水栓ユニット６、６ａにそれぞれ被取付け部１５を設けると共に各水栓ユニット６、６ａの開閉弁５よりも上流側に湯水の入口部１９を設け且つ開閉弁５よりも下流側に湯水の吐出部２０を設け、取付け金具７の水供給用接続部１０と湯供給用接続部１１とにそれぞれ湯温調整ユニット３の水流入用接続部１６と湯流入用接続部１７とを着脱自在に接続すると共に湯温調整ユニット取付け部１２に湯温調整ユニット３の被取付け部１４を着脱自在に取付け、取付け金具７の複数の水栓ユニット取付け部１３にそれぞれ各水栓ユニット６の被取付け部１５を着脱自在に取付けると共に、湯温調整ユニット３の出口部１８と各水栓ユニット６、６ａの入口部１９とを接続管２１で着脱自在に接続することが好ましい。
【００２２】
このような構成とすることで、湯温調整ユニット３を取り外すには、水供給用接続部１０と水流入用接続部１６との接続、湯供給用接続部１１と湯流入用接続部１７との接続を取り外し、出口部１８と接続管２１との接続を取り外し、湯温調整ユニット取付け部１２と被取付け部１４との接続を取り外すだけで、複数の水栓ユニット６、６ａを取付け金具７に取付けたままの状態で、湯温調整ユニット３のみを簡単に前方に取り外して、離れた場所で湯温調整ユニット３の保守、点検ができる。また、保守、点検が終わると、上記と逆の手順で簡単に湯温調整ユニット３を取付け金具７に取付けることができる。また、水栓ユニット６、６ａを取り外すには、複数の水栓ユニット６、６ａのうち保守、点検が必要な水栓ユニットのみを、当該水栓ユニットの被取付け部１５と水栓ユニット取付け部１３との接続を取り外し、当該水栓ユニットの入口部１９と接続管２１の接続を外すだけで、湯温調整ユニット３及び他の水栓ユニットを取付け金具７に取付けたままの状態で、必要な水栓ユニットのみを簡単に前方に単独で取り外して、離れた場所で当該水栓ユニットの保守、点検ができる。また、保守、点検が終わると、上記と逆の手順で簡単に水栓ユニットを単独で取付け金具７を取付けることができる。
【発明の効果】
【００２３】
本発明は、上記のように構成したので、各シリンダの軸芯がほぼ一致するように一列に並設した状態で取付け金具の前側に取付けることで、コンパクト化ができる。また、いずれか一方のユニット又は両ユニットをシリンダの軸芯方向と交差する取付け金具の前方向に向けて他のユニットから独立して取外し自在とすることで、湯温調整機能付き水栓装置の前方、つまり、使用者の居る方に向けて各ユニットを独立して取り外すことができる。これにより、シリンダ内に湯温調整装置を備えた湯温調整ユニット又は別のシリンダ内に開閉弁を備えた上記湯温調整ユニットとは別体の水栓ユニットを独立して取り外して別の場所（つまり壁際でない場所）で保守、点検ができて、作業が容易となる。
【発明を実施するための最良の形態】
【００２４】
以下、本発明を添付図面に示す実施形態に基いて説明する。
【００２５】
図１乃至図９には本発明の一実施形態が示してある。本発明の湯温調整機能付き水栓装置Ａは、取付け金具７と、該取付け金具７に取付ける湯温調整ユニット３と、水栓ユニット６と、これらを覆うカバー２２とで構成してある。
【００２６】
取付け金具７は図７、図８に示す実施形態においては、前片２３の左右両端部から後方に向けて側片２４を一体に連出したものである。両側片２４の後端部には固定部２６が設けてあり、固定部２６を壁２５やカウンター４１等の取付け基体に対して固定するようになっている。
【００２７】
また、前片２３には配管の端部の接続部分を嵌め込むための複数の孔２７が設けてあり、各孔２７から水供給配管２８の先端部に設けられた水供給用接続部１０、湯供給用配管２９の先端に設けられた湯供給用接続部１１、接続管２１の両端部の接続部３０、３１、シャワー用配管３２の接続部３３が前方に向けて突出するように設置されるようになっている。
【００２８】
また、前片２３には湯温調整ユニット取付け部１２と水栓ユニット取付け部１３とが設けてある。
【００２９】
更に、前片２３と両側片２４にはカバー取付け部３４が設けてある。
【００３０】
湯温調整ユニット３は、軸方向の一側端が閉塞し且つ軸方向の他側端が開口した第１シリンダ１内に温調モジュールを構成する湯温調整装置２を挿入し、且つ、第１シリンダ１の軸方向の一側端部の外側に湯温調整装置２の第１操作部８を突出させて構成してある。
【００３１】
湯温調整ユニット３の第１シリンダ１には上記取付け金具７に設けた湯温調整ユニット取付け部１２に着脱自在に取付けるための被取付け部１４が設けてある。また、この第１シリンダ１の後部には、湯温調整装置２よりも上流側となる水流入用接続部１６と湯流入用接続部１７とが後方に向けて突設してあり、更に、湯温調整装置２よりも下流側となる混合された湯水の出口部１８が後方に向けて突設してある。
【００３２】
水栓ユニット６は上記湯温調整ユニット３とは別体のもので、前記第１シリンダ１とは別の第２シリンダ４内に制御弁モジュールを構成する開閉弁５を備えたもので、図７に示す実施形態においては、軸方向の両端部が開口した第２シリンダ４内にそれぞれ両開口から開閉弁５をそれぞれ挿入し、且つ、第２シリンダ４の軸方向の両端部の外側にそれぞれ開閉弁５の操作部９、９ａを突出させて構成してある。本実施形態では１つのシリンダ４に２つの開閉弁５を装着した例が示してある。
【００３３】
水栓ユニット６の第２シリンダ４には上記取付け金具７に設けた水栓ユニット取付け部１３に着脱自在に取付けるための被取付け部１５が設けてある。また、この第２シリンダ４の後部には開閉弁５よりも上流側となる湯水の入口部１９が設けてあり、更に、各開閉弁５よりも下流側にそれぞれ湯水の吐出部２０、２０が設けてある。２つの吐出部２０、２０のうちの１つは第２シリンダ４の下面部に設けられたカラン用の吐出部２０ａであり、他の１つは第２シリンダ４の後部から突出するシャワー用の吐出部２０ｂである。
【００３４】
上記の構成の湯温調整ユニット３と、これとは別体の水栓ユニット６は、上記取付け金具７の前片２３の前面側にそれぞれ独立して着脱自在に取付ける。
【００３５】
すなわち、湯温調整ユニット３は、取付け金具７の水供給用接続部１０と湯供給用接続部１１とにそれぞれ湯温調整ユニット３の水流入用接続部１６と湯流入用接続部１７とを着脱自在に接続すると共に、図４のように、湯温調整ユニット取付け部１２に湯温調整ユニット３の被取付け部１４をねじ具のような固着具３５で着脱自在に取付ける。
【００３６】
また、水栓ユニット６は、図５、図６に示すように、取付け金具７の水栓ユニット取付け部１３に、水栓ユニット６の被取付け部１５をねじ具のような固着具３５で着脱自在に取付ける。
【００３７】
また、接続管２１の両端部の接続部３０、３１を、それぞれ湯温調整ユニット３の出口部１８と水栓ユニット６の入口部１９とに着脱自在に接続する。
【００３８】
更に、水栓ユニット６のシャワー用の吐出部２０ｂを、シャワー用配管３２の接続部３３に接続する。このシャワー用配管３２にはシャワーホース（図示せず）の後端部を接続する。
【００３９】
このように取付け金具７の前面に湯温調整ユニット３と、該湯温調整ユニット３とは別体の水栓ユニット６とをそれぞれ独立して着脱自在に取付けるのであるが、湯温調整ユニット３と水栓ユニット６とは各ユニットのシリンダ１、４の軸芯が略一致するように一列に並設した状態で、取付け金具７の前側に取付けるものであり、また、並設した各ユニット３、６はそれぞれ固着具３５を外すことで独立して前方に取り外すことが可能となっている。
【００４０】
取付け金具７に各ユニット３、６を固着具３５を用いて着脱自在に取付けたり、取り外したりする操作は、取付け金具７の前片２３の前方において下方から治具を操作することで固着具３５による着脱操作ができるように構成してある。
【００４１】
上記のように取付け金具７の前面側に湯温調整ユニット３と、該湯温調整ユニット３とは別体の水栓ユニット６とを軸方向に並設して取付けた後、これらをカバー２２で覆って湯温調整機能付き水栓装置Ａを組み立て構成する。
【００４２】
上記カバー２２は、形成される湯温調整機能付き水栓装置Ａの外郭を構成するもので、下後カバー３７と、下前カバー３８と、上カバー３９とで構成してある。
【００４３】
上記下後カバー３７と、下前カバー３８と、上カバー３９にはそれぞれ被取付け部４０が設けてあって、下後カバー３７、下前カバー３８、上カバー３９の各被取付け部４０をそれぞれ取付け金具７のカバー取付け部３４に固着具３５を用いて着脱自在に取付けるようになっている。
【００４４】
ここで、下後カバー３７と、下前カバー３８はいずれも、下後カバー３７と、下前カバー３８の下方から固着具３５を操作して取付けるようになっており、固着具３５が下後カバー３７と、下前カバー３８の下面に位置するので、湯温調整機能付き水栓装置Ａの使用側である正面側から上記下後カバー３７と、下前カバー３８を取付ける固着具３５が見えないようになっている。
【００４５】
上カバー３９は上方から固着具３５を操作して取付けるようになっていて、固着具３５の頭部が上カバー３９の上面部の後部に存在することになるが、取付け金具７を壁２５に取付けた場合、壁２５から前方に突出して取付けたカウンター４１の下面部に、上カバー３９の後部が重なるように取付けられるため、上記上カバー３９を取付ける固着具３５が湯温調整機能付き水栓装置Ａの使用側である正面側から見えないようになっている。
【００４６】
添付図面に示す実施形態においては、湯温調整装置２の第１操作部８、２個の開閉弁５の操作部９、９ａ（第２操作部９、第３操作部９ａ）にはいずれもシリンダ１、４の軸芯を中心に回動する回動部４４、４５から前方に操作板４６、４７、４７ａを突設したもので、湯温調整装置２の第１操作部８の前方に突出した第１操作板４６、上カバー３９の前部に設けた板状をしたダミー操作部４８、一方の開閉弁５の第２操作部９の前方に突出した第２操作板４７、他方の開閉弁５の第３操作部９ａの前方に突出した第３操作板４７ａがカウンター４１の下面側の前端から前方に突出し、上記操作板４６、２つの操作板４７、４７ａがそれぞれカウンター４１の前方においてシリンダ１、４の軸芯を中心に回動操作自在となっている。
【００４７】
つまり、第１操作部８の第１操作板４６を操作することで、水流入用接続部１６、湯流入用接続部１７から湯温調整ユニット３内に流入する水と湯との混合割合を湯温調整装置２で調整して、湯温調整を行うことができるようになっている。
【００４８】
湯温調整ユニット３の湯温調整装置２で湯水の混合が調整された湯温調整済の湯水は、接続管２１を経て水栓ユニット６の第２シリンダ４内に供給される。
【００４９】
そして、一方の開閉弁５の第２操作部９の第２操作板４７を回動操作することで、該一方の開閉弁５の開閉及び開度合いの調整（吐水量の調整）を行い、カラン用の吐出部２０ａからの湯水の吐水又は吐水停止、吐水時の吐水量の調整を行う。
【００５０】
また、他方の開閉弁５の第３操作部９ａの第３操作板４７ａを回動操作することで、該他方の開閉弁５の開閉及び開度合いの調整（吐水量の調整）を行い、シャワーホースに設けたシャワーヘッドからの湯水の吐水又は吐水停止、吐水時の吐水量の調整を行う。
【００５１】
上記のような構成の湯温調整機能付き水栓装置Ａにおいて、湯温調整ユニット３のみを保守、点検する場合、取付け金具７に対して下後カバー３７、下前カバー３８をそれぞれ取付けている固着具３５を操作して、取付け金具７から下後カバー３７、下前カバー３８を外し、また、出口部１８を接続管２１の一端部の接続部３０から外し、次に、水供給用接続部１０と水流入用接続部１６との接続を外し、湯供給用接続部１１と湯流入用接続部１７との接続を外し、更に、固着具３５を操作して湯温調整ユニット取付け部１２から被取付け部１４を外すことで、水栓ユニット６を取付け金具７に対して取付けたまま、第１シリンダ１内に湯温調整装置２を備えた湯温調整ユニット３のみを単独で前方に取り外すことができる。
【００５２】
一方、水栓ユニット６のみを保守、点検する場合、取付け金具７に対して下後カバー３７、下前カバー３８をそれぞれ取付けている固着具３５を操作して、取付け金具７から下後カバー３７、下前カバー３８を外し、また、入口部１９を接続管２１の一端部の接続部３１から外し、吐出部２０ｂをシャワー用配管３２の接続部３３から外し、更に、固着具３５を操作して水栓ユニット取付け部１３から被取付け部１５を外すことで、湯温調整ユニット３を取付け金具７に対して取付けたまま、第２シリンダ４内に開閉弁５を備えた水栓ユニット６のみを単独で前方に取り外すことができる。
【００５３】
このように、湯温調整ユニット３のみ、あるいは、水栓ユニット６のみを単独で前方（つまり、湯温調整機能付き水栓装置Ａを操作する使用者が位置する側）に取り外すことができるので、湯温調整機能付き水栓装置Ａの軸方向の両側方に壁やその他の設備が近づけて配置してあっても、簡単に保守、点検が必要なユニットのみを前方に取り外して、壁際から離れた場所において、湯温調整ユニット３や水栓ユニット６の保守、点検ができるので、保守、点検作業が容易に行える。
【００５４】
しかも、湯温調整ユニット３の保守、点検の際は、第１シリンダ１内に湯温調整装置２を備えた湯温調整ユニット３のみを取り外して保守、点検するので、取付け金具７や水栓ユニット６から離れた場所で、これらの部材に邪魔されることなく、湯温調整ユニット３の保守、点検ができ、更に、湯温調整装置２を第１シリンダ１から抜き取って保守、点検した後、再び湯温調整装置２を第１シリンダ１に組み込んで、相互の位置合わせ、シール等の作業を行うが、この作業を壁際から離れた所で行えるので、容易に作業ができることになる。
【００５５】
また、保守、点検後に湯温調整ユニット３を取付け金具７に取付けるには、前述で説明したようにして取付け金具７に湯温調整ユニット３を取付ければよく、簡単な作業で単独で取付けることができる。
【００５６】
一方、水栓ユニット６の保守、点検の際は、第２シリンダ４内に開閉弁５を備えた水栓ユニット６のみを取り外して保守、点検するので、取付け金具７や湯温調整ユニット３から離れた場所で、これらの部材に邪魔されることなく、水栓ユニット６の保守、点検ができ、更に、開閉弁５を第２シリンダ４から抜き取って保守、点検した後、再び開閉弁５を第２シリンダ４に組み込んで、相互の位置合わせ、シール等の作業を行うが、この作業を壁際から離れた所で行えるので、容易に作業ができることになる。
【００５７】
また、保守、点検後に水栓ユニット６を取付け金具７に取付けるには、前述で説明したようにして取付け金具７に水栓ユニット６を取付ければよく、簡単な作業で単独で取付けることができる。
【００５８】
湯温調整ユニット３や水栓ユニット６の保守、点検が終わって再び取付け金具７に取付けた後、下後カバー３７、下前カバー３８を前述と同様にして取付け金具７に取付ける。
【００５９】
図１０、図１１には本発明の他の実施形態が示してある。
【００６０】
すなわち、前述の実施形態においては、１つの湯温調整ユニット３と１つの水栓ユニット６とを各シリンダの軸芯が略一致するように一列に並設した状態で取付け金具７の前面に着脱自在に取付けた例を示したが、本実施形態においては、１つの湯温調整ユニット３と、複数の水栓ユニット６とを各シリンダの軸芯が略一致するように一列に並設した状態で取付け金具７の前面に着脱自在に取付けた例である。
【００６１】
以下の説明では前述の実施形態と同じ構成、作用の説明はできるだけ省略し、異なる構成、作用につき説明する。
【００６２】
本実施形態においては、取付け金具７の前片２３に前述の実施形態と同様に湯温調整ユニット取付け部１２と水栓ユニット取付け部１３を設けてあるが、複数の水栓ユニット６を個別に独立して着脱自在に取付けることができるように、水栓ユニット取付け部１３が複数組設けてある。
【００６３】
湯温調整ユニット３は前述の実施形態と同様の構成で、前述の実施形態と同様にして取付け金具７の湯温調整ユニット取付け部１２に被取付け部１４を固着具３５により着脱自在に取付ける。
【００６４】
水栓ユニット６、６ａは複数個取付けられ、いずれの水栓ユニット６、６ａも、１つのシリンダ４内に１つの開閉弁５（図１０、図１１では開閉弁５はシリンダ４の内部に内装してあって、図面上表示してない）を内装したもので、各水栓ユニット６、６ａのシリンダ４にはそれぞれ被取付け部１５、湯水の入口部１９、湯水の吐出部２０が設けてある。複数の水栓ユニット６、６ａ（図では２つの水栓ユニット６、６ａ）のうち１つの吐出部２０はシリンダ４の下面部に設けられたカラン用の吐出部２０ａであり、他の水栓ユニット６の吐出部２０はシリンダ４の後部から突出するシャワー用の吐出部２０ｂである。
【００６５】
各水栓ユニット６、６ａの軸方向の一側端部には開閉弁５を操作するための操作部８、８ａが設けてあり、操作部８、８ａの操作板４７，４７ａが前方に向けて突出している。
【００６６】
複数の水栓ユニット６、６ａはそれぞれ、前述の実施形態における水栓ユニット６の取付けと同様にして取付け金具７に設けた複数組の各水栓ユニット取付け部１３にそれぞれ個別に着脱自在に取付ける。
【００６７】
本実施形態における接続管２１は、上流側端部に湯温調整ユニット３の出口部１８に着脱自在に接続するための接続部３０を設けると共に、接続管２１の下流側が複数に分岐していて分岐部分の下流側端部にそれぞれ接続部３１が設けてあり、各水栓ユニット６は上記取付けの際、各入口部１９を接続管２１の対応する接続部３１に着脱自在に接続するものである。
【００６８】
ここで、取付け金具７の前片２３の前面側に取付けた１つの湯温調整ユニット３、複数の水栓ユニット６、６ａは、各ユニットのシリンダの軸芯がほぼ一致するように一列に並設している。
【００６９】
カバー２２（下後カバー３７と、下前カバー３８と、上カバー３９）は、前述の実施形態と同様にして取付け金具７に着脱自在に取付けるものである。
【００７０】
本実施形態においても、湯温調整ユニット３の保守、点検に当っては前述の実施形態と同様にして水栓ユニット６、６ａを取付け金具７に取付けたまま、湯温調整ユニット３のみを個別に前方に取り外して、保守、点検を行うことができる。
【００７１】
一方、複数の水栓ユニット６、６ａのうち、いずれかの水栓ユニット６、６ａの保守、点検をする場合は、取付け金具７に湯温調整ユニット３、取り外す対象でない水栓ユニットを取付けたまま、取り外しの対象となっている水栓ユニットのみを個別に前方に取り外して、保守、点検を行うことができる。
【図面の簡単な説明】
【００７２】
【図１】本発明の湯温調整機能付き水栓装置の前面側から見た斜視図である。
【図２】同上の背面側から見た斜視図である。
【図３】同上の平面図である。
【図４】同上の図３のＸ−Ｘ線の断面図である。
【図５】同上の図３のＹ−Ｙ線の断面図である。
【図６】同上の図３のＺ−Ｚ線の断面図である。
【図７】同上の正面側から見た分解斜視図である。
【図８】同上の背面側から見た分解斜視図である。
【図９】同上の湯温調整ユニット、水栓ユニットを個別に着脱自在に取付ける状態を示す一部分解斜視図である。
【図１０】同上の他の実施形態の一部破断した平面図である。
【図１１】同上の他の実施形態の一部破断した底面図である。
【符号の説明】
【００７３】
１  第１シリンダ
２  湯温調整装置
３  湯温調整ユニット
４  第２シリンダ
５  開閉弁
６、６ａ  水栓ユニット
７  取付け金具
８  第１操作部
９  第２操作部
９ａ  第３操作部
１０  水供給用接続部
１１  湯供給用接続部
１２  湯温調整ユニット取付け部
１３  水栓ユニット取付け部
１４  被取付け部
１５  被取付け部
１６  水流入用接続部
１７  湯流入用接続部
１８  出口部
１９  入口部
２０  吐出部
２１  接続管
【図１】
2010007290.tif 000003
【図２】
2010007290.tif 000004
【図３】
2010007290.tif 000005
【図４】
2010007290.tif 000006
【図５】
2010007290.tif 000007
【図６】
2010007290.tif 000008
【図７】
2010007290.tif 000009
【図８】
2010007290.tif 000010
【図９】
2010007290.tif 000011
【図１０】
2010007290.tif 000012
【図１１】
2010007290.tif 000013